(57)【要約】【課題】プラズマディスプレイなどの表示装置において、各階調の発光輝度のバランスをとり、滑らかな階調性を実現することを目的とする。【解決手段】複数の表示セルを有するＰＤＰを有し、１フィールドを複数のサブフィールドにより構成し、各サブフィールドの発光回数により輝度の重み付けを行うとともに、各サブフィールドでの発光の有無の組み合わせにより階調表示を行う表示装置であって、１フィールドの重み付け総数の異なる複数の駆動モードを設け、その駆動モードを切り替え可能とした。【選択図】  図１
2005024608.tif 000002
【特許請求の範囲】
【請求項１】
複数の表示セルを有する表示パネルを有し、１フィールドを複数のサブフィールドにより構成し、各サブフィールドの発光回数により輝度の重み付けを行うとともに、各サブフィールドでの発光の有無の組み合わせにより階調表示を行う表示装置であって、１フィールドの重み付け総数の異なる複数の駆動モードを設け、その駆動モードを切り替え可能としたことを特徴とする表示装置。
【請求項２】
駆動モードは、サブフィールド数が異なるパターンを含むことを特徴とする請求項１に記載の表示装置。
【請求項３】
複数の駆動モードを映像表示モードの選択に連動して切り替えるように構成したことを特徴とする請求項１に記載の表示装置。
【請求項４】
表示装置の周囲環境の照度を検出する照度センサーを備え、複数の駆動モードを照度センサーの検出値により切り替えるように構成したことを特徴とする請求項１に記載の表示装置。
【発明の詳細な説明】
【０００１】
【発明の属する技術分野】
本発明は、１フィールドを複数のサブフィールドに分割し、サブフィールドの発光の有無の組み合わせにより階調表示を行うプラズマディスプレイなどの表示装置に関するものである。
【０００２】
【従来の技術】
近年、様々な表示装置が実用化されているが、特にプラズマディスプレイは視認性に優れた表示パネル（薄型表示デバイス）として注目されており、高精細化、大画面化、高階調化が進められている。
【０００３】
このプラズマディスプレイは、階調表現のため、サブフィールド駆動法を用いており、例えばサブフィールド数８で構成する場合、重み付けを１、２、４、８、１６、３２、６４、１２８のように構成し、その組み合わせにより０〜２５５の階調を表現している。また、一般的に動画疑似輪郭低減などのため、サブフィールド数を増加させることが行われており、例えばサブフィールド数９の構成で、１、２、３、６、１１、２０、３８、６４、１１０のように重み付けをし、その組み合わせにより階調を表現している。さらには、発光輝度増加のため、各サブフィールドに一律の倍数をかけ、例えば４倍のパルス数４、８、１２、２４、４４、８０、１５２、２５６、４４０で発光させ、このサブフィールドの組み合わせで各画素の発光回数を制御し階調を表現している（特許文献１参照）。
【０００４】
しかし、このようなプラズマディスプレイにおいては、１フィールドの時間の中で、サブフィールド駆動を行い、階調表現しなければならないため、駆動時間に制限が生じる。例えば、輝度を上げるためには発光回数を増加させる必要があるため、維持発光時間が長くなり、また動画性能を良くするためにはサブフィールド数を増やすほうが有利であり、サブフィールド数が増加した分、アドレス時間が増加する。また、階調性能を上げるためには、重み付けの総数を増加させる必要があるが、同じサブフィールド数で重み付けの総数を増加させると、隣り合うサブフィールドの重みの差が大きくなる。
【０００５】
各サブフィールドの重み付けと動画疑似輪郭発生の関係に関しては、特許文献２に示されているように、隣り合うサブフィールドの差分が少ないほうが動画疑似輪郭の低減に有利である。つまり、階調を上げるためには、動画性能を犠牲にする、または、輝度を落とすなどの対応をせざるを得なかった。
【０００６】
【特許文献１】
特開平０８−１４６９１４号公報
【特許文献２】
特開２００２−４０９８１号公報
【０００７】
【発明が解決しようとする課題】
本発明はこのような課題を解決し、各階調の発光輝度のバランスをとり、滑らかな階調性を実現することを目的とするものである。
【０００８】
【課題を解決するための手段】
上記目的を達成するために本発明は、複数の表示セルを有する表示パネルを有し、１フィールドを複数のサブフィールドにより構成し、各サブフィールドの発光回数により輝度の重み付けを行うとともに、各サブフィールドでの発光の有無の組み合わせにより階調表示を行う表示装置であって、１フィールドの重み付け総数の異なる複数の駆動モードを設け、その駆動モードを切り替え可能としたものである。
【０００９】
【発明の実施の形態】
すなわち、本発明の請求項１記載の発明は、複数の表示セルを有する表示パネルを有し、１フィールドを複数のサブフィールドにより構成し、各サブフィールドの発光回数により輝度の重み付けを行うとともに、各サブフィールドでの発光の有無の組み合わせにより階調表示を行う表示装置であって、１フィールドの重み付け総数の異なる複数の駆動モードを設け、その駆動モードを切り替え可能としたものである。
【００１０】
また、請求項２に記載の発明は、請求項１において、駆動モードは、サブフィールド数が異なるパターンを含むことを特徴とする。
【００１１】
また、請求項３に記載の発明は、請求項１において、複数の駆動モードを映像表示モードの選択に連動して切り替えるように構成したものである。
【００１２】
さらに、請求項４に記載の発明は、請求項１において、表示装置の周囲環境の照度を検出する照度センサーを備え、複数の駆動モードを照度センサーの検出値により切り替えるように構成したことを特徴とする。
【００１３】
以下、本発明の一実施の形態による表示装置について、プラズマディスプレイを例に図１〜図５を用いて説明する。
【００１４】
図１に本発明の一実施の形態によるプラズマディスプレイのブロック図を示し、図１において、１は入力映像信号の入力端子、２はサブフィールド変換回路、３はマイクロコンピュータ（マイコン）による制御回路、４は制御手段としての駆動パルス制御回路、５は発光回数テーブルで、これらの駆動パルス制御回路４及び発光回数テーブル５は制御回路３により制御される。６は複数の表示セルを有する表示デバイスであるプラズマディスプレイパネル（ＰＤＰ）７の各電極に所定の電圧を供給して表示駆動させる駆動回路である。
【００１５】
図２はプラズマディスプレイのサブフィールド（ＳＦ）構成の一例である。この例では、９サブフィールドの構成であり、各サブフィールドは図２に示すように大きく分けて、発光するか、しないかの書き込みを行うアドレス期間と、実際に発光する維持発光期間を有している。また、各サブフィールドの重み付けは１、２、３、６、１１、２０、３８、６４、１１０であり、発光回数となる駆動パルス数は、この例では４倍のパルス数４、８、１２、２４、４４、８０、１５２、２５６、４４０である。
【００１６】
図３は本発明におけるプラズマディスプレイのサブフィールド構成とその駆動モードの一例を示す図である。
【００１７】
図３のａの駆動モードは、９サブフィールド構成で、各サブフィールドの重み付けは１、２、３、６、１１、２０、３８、６４、１１０とし、重み付け総数である階調数を２５６としたものである。また、駆動パルス数は輝度向上のため一定の比率をかけており、この例では、４倍として４、８、１２、２４、４４、８０、１５２、２５６、４４０である。
【００１８】
図３のｂの駆動モードは、９サブフィールド構成のまま、重み付け総数である階調数を５１２に増加させたものである。
【００１９】
図３のｃの駆動モードは、重み付け総数である階調数を、図３のｂと同じ５１２にするとともに、サブフィールド数を１０に増加させたものである。この場合、図３のｃに示すように、隣り合うサブフィールドの重み付けの差は、図３のｂに比べて小さくなっており、動画疑似輪郭発生を抑制することができる。
【００２０】
なお、この駆動モードでは、サブフィールドを増加させると、アドレス時間の増加につながることから、１フィールドの限られた時間の中で駆動するため、この図３の例では、維持発光パルス数、すなわち発光回数を図３のｂと同じになるように制御している。駆動の一例として、１ライン書き込み時間２μｓでライン数５００、維持発光パルスの周期が５μｓとすると、この場合、サブフィールド数が１増えて、アドレス期間の時間の増加分は、５００×２μｓ＝１０００μｓであり、これは、維持発光パルス数（１０００μｓ／５μｓ＝２００に相当し、図３の４倍の駆動の例に対しては、発光パルスの約２０％分に相当することになる。
【００２１】
図４は、本発明において、複数の駆動モードを映像表示モードの選択に連動して切り替えるように構成した場合の一例を示すもので、この図４に示す例では、駆動モード１として、サブフィールド数９、重み付け総数（階調数）２５６、発光パルス総数１０２０を設定し、駆動モード２として、サブフィールド数１０、重み付け総数（階調数）５１２、発光パルス総数８００を設定したものである。
【００２２】
すなわち、輝度が必要なときには駆動モード１を、階調が必要なときには駆動モード２に切り替えることにより、使い方に応じた最適な駆動方法をとることができる。
【００２３】
また、この制御を映像モードと連動して、ダイナミックモードのときには輝度重視の駆動モード１を、スタンダードモードのときには、階調重視の駆動モード２を選択することにより、ＰＤＰを目的に応じて活用することが可能となる。
【００２４】
次に、本発明の第２の実施の形態について、図５を用いて説明する。この実施の形態においては、表示装置の周囲環境の照度を検出する照度センサー８を備え、その照度センサー８に検出した情報を制御回路３に入力し、その情報に基づき、図４で説明したような駆動モードの異なる駆動モード１、駆動モード２を切り替えるように構成したものである。
【００２５】
すなわち、図５において、周囲環境の明るさを照度センサー８で検出し、検出値が設定しているスレッショルドレベルと比較し、駆動モード１と駆動モード２を切り替える制御を行う。周囲環境に対する駆動モードの切り替え点は、あらかじめ設定できる機能を設けておき、各ユーザーの仕様環境に応じて設定する。この制御により、周囲環境が明るいときには、階調より輝度を重視した輝度重視の駆動モード１に切り替え、また周囲環境が暗いときには、高輝度は必要なく、低輝度部の階調性がより望まれるようになるため、階調重視の駆動モード２に切り替えることができ、自動で最適な表示駆動を行うことができる。
【００２６】
【発明の効果】
以上の説明から明らかなように本発明によれば、少なくとも重み付け総数の異なる複数の駆動モードを設け、目的に応じて駆動モードを切り替えることにより、使用条件、ユーザーの仕様環境、生活形態などに合った最適な表示駆動を行うことができる。
【図面の簡単な説明】
【図１】本発明の一実施の形態によるプラズマディスプレイの一例を示すブロック図
【図２】サブフィールド構成の一例を示す説明図
【図３】駆動モードの一例を示す説明図
【図４】駆動モードを映像表示モードで切り替えるようにした場合の例を示す説明図
【図５】本発明の他の実施の形態によるプラズマディスプレイの一例を示すブロック図
【符号の説明】
２  サブフィールド変換回路
３  制御回路
４  駆動パルス制御回路
５  発光回数テーブル
６  駆動回路
７  ＰＤＰ
８  照度センサー
【図１】
2005024608.tif 000003
【図２】
2005024608.tif 000004
【図３】
2005024608.tif 000005
【図４】
2005024608.tif 000006
【図５】
2005024608.tif 000007